(57)【要約】【課題】点検作業時における流路の切り替えを高精度かつ効果的に行う。【解決手段】消火用水の流路を流入口から消火活動時に使用する第１の流路または点検装置に接続する第２の流路へ切り替える切替弁を有し、前記切替弁は、前記第１の流路に通水する第１の位置と、前記第２の流路に通水する第２の位置との間を回転して移動する弁蓋と、前記弁蓋を前記第１の位置に押圧する第１押圧部材と、前記弁蓋を収納する弁箱と、前記弁蓋に接続され、前記弁蓋より前記第２の流路の方向へ前記弁箱から突出して配置される弁移動部材と、を有し、前記点検装置が接続された場合、前記点検装置の流路の中心に設けられた第２押圧部材が前記弁移動部材を押圧することにより、前記弁蓋を前記第２の位置に回転させて押圧するようにしたこと、を特徴とする道路用消火栓が提供される。【選択図】図５
2020081001.tif 000002
【特許請求の範囲】
【請求項１】
消火用水の流路を流入口から消火活動時に使用する第１の流路または点検装置に接続する第２の流路へ切り替える切替弁を有し、
前記切替弁は、
前記第１の流路に通水する第１の位置と、前記第２の流路に通水する第２の位置との間を回転して移動する弁蓋と、
前記弁蓋を前記第１の位置に押圧する第１押圧部材と、
前記弁蓋を収納する弁箱と、
前記弁蓋に接続され、前記弁蓋より前記第２の流路の方向へ前記弁箱から突出して配置される弁移動部材と、を有し、
前記点検装置が接続された場合、
前記点検装置の流路の中心に設けられた第２押圧部材が前記弁移動部材を押圧することにより、前記弁蓋を前記第２の位置に回転させて押圧するようにしたこと、
を特徴とする道路用消火栓。
【請求項２】
前記弁移動部材は、前記第２押圧部材による押圧時に前記弁蓋の移動方向を補正する直立補正部材を側面に有する、
請求項１に記載の道路用消火栓。
【請求項３】
前記弁箱は、前記弁蓋が第１の位置にある場合、前記消火用水が前記流入口から前記第１の流路に略直線状に通水されるよう形成される、
請求項１または２に記載の道路用消火栓。
【発明の詳細な説明】
【技術分野】
【０００１】
本発明は、道路用消火栓に関する。
【背景技術】
【０００２】
近年、火災から人身や車両を守るための消火栓装置が普及している。また、上記のような消火栓装置の安全性、利便性を向上させるための手法が多く提案されている。
【０００３】
例えば、消火栓装置では、定期または非定期に、水圧や水量などが規定を満たしているか否かの点検作業が実施される。この際、予め接続されている消火ホースとは別途の点検装置を接続し、当該点検装置側へ流路を切り替えることにより、水圧や水量の測定が行われる。また、上記のような点検作業の実施を効率化するための手法も多く提案されている。
【０００４】
例えば、特許文献１〜特許文献３には、点検装置のコネクタを挿入することにより通水方向を点検装置側に切り替える技術が記載されている。また、特許文献４には、弁蓋を回転させて流路を閉塞する弁の構造が記載されている。また、特許文献５には、接続すると弁を開放し、接続を解除すると閉塞するコネクタの構造が記載されている。
【先行技術文献】
【特許文献】
【０００５】
【特許文献１】特開２００３−３８６７６号公報
【特許文献２】特開２０１１−５６１０８号公報
【特許文献３】特開２００２−１２６１１９号公報
【特許文献４】特開平０８−２４７３３２号公報
【特許文献５】特開２００４−２５１４４６号公報
【発明の概要】
【発明が解決しようとする課題】
【０００６】
しかし、特許文献１〜特許文献３に記載されるようなコネクタは、弁箱の形状に合わせて精密に作製する必要があり、形状に不具合がある場合には、流路の切り替え精度が著しく低下することが想定される。また、特許文献４および特許文献５に記載の構造は、複数の流路の切り替えを想定したものではない。
【０００７】
そこで、本発明は、上記問題に鑑みてなされたものであり、本発明の目的とするところは、点検作業時における流路の切り替えを高精度かつ効果的に行うが可能な、新規かつ改良された道路用消火栓を提供することにある。
【課題を解決するための手段】
【０００８】
上記課題を解決するために、本発明のある観点によれば、消火用水の流路を流入口から消火活動時に使用する第１の流路または点検装置に接続する第２の流路へ切り替える切替弁を有し、上記切替弁は、上記第１の流路に通水する第１の位置と、上記第２の流路に通水する第２の位置との間を回転して移動する弁蓋と、上記弁蓋を上記第１の位置に押圧する第１押圧部材と、上記弁蓋を収納する弁箱と、上記弁蓋に接続され、上記弁蓋より上記第２の流路の方向へ上記弁箱から突出して配置される弁移動部材と、を有し、上記点検装置が接続された場合、上記点検装置の流路の中心に設けられた第２押圧部材が上記弁移動部材を押圧することにより、上記弁蓋を上記第２の位置に回転させて押圧するようにしたこと、を特徴とする道路用消火栓が提供される。
【０００９】
また、上記弁移動部材は、上記第２押圧部材による押圧時に上記弁蓋の移動方向を補正する直立補正部材を側面に有してもよい。
【００１０】
また、上記弁箱は、上記弁蓋が第１の位置にある場合、上記消火用水が上記流入口から上記第１の流路に略直線状に通水されるよう形成されてもよい。
【発明の効果】
【００１１】
以上説明したように本発明によれば、点検作業時における流路の切り替えを高精度かつ効果的に行うが可能となる。
【図面の簡単な説明】
【００１２】
【図１】本発明の一実施形態に係る消火栓の配置例について説明するための図である。
【図２】同実施形態に係る消火栓の構造の一例を示す図である。
【図３】同実施形態に係る切替弁の構造について説明するための図である。
【図４】同実施形態に係る点検装置が接続されていない場合の切替弁の構造を示す図である。
【図５】同実施形態に係る第２の流路への通水の切り替え時における切替弁の構造を示す図である。
【図６】同実施形態に係る第２の流路への通水の切り替え時における切替弁の構造を示す図である。
【図７】同実施形態に係る第２の流路への通水の切り替え時における切替弁の構造を示す図である。
【発明を実施するための形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
＜１．実施形態＞
＜＜１．１．消火栓１０の概要＞＞
まず、本発明の一実施形態に係る消火栓１０の概要について説明する。本実施形態に係る消火栓１０は、例えば、トンネル内に設置される道路用消火栓であってもよい。図１は、本実施形態に係る消火栓１０の配置例について説明するための図である。
【００１５】
図１には、トンネル内に設置される消火栓１０および防護柵７０が示されている。図１に示すように、消火栓１０は、道路ｒｗの路肩に設けられる監視員通路ｐｗの脇に、トンネル内壁ｉｗに埋め込まれるように配置されてもよい。ここで、監視員通路ｐｗは、一般的に道路ｒｗから９００〜１０００ｍｍほどの高さを以って設けられる通路であり、監視員による保守作業や災害時の避難経路として用いられる。消火栓１０は、トンネル内において、例えば、５０ｍ程度の間隔を以って複数設置される。
【００１６】
次に、本実施形態に係る消火栓１０の構造について概要を説明する。図２は、本実施形態に係る消火栓１０の構造の一例を示す図である。図２に示すように、本実施形態に係る消火栓１０の内部には、消火器９０の他、給水栓などを含む配管部７１０や、配管部７１０に接続され巻回収納されたホース７２０、ホース７２０の先端に装着されたノズル７３０などが配置される。
【００１７】
消火活動を行う際、操作者は、ノズル７３０を取り出した後、配管部７１０に配置される消火栓レバーを開方向に操作する。この際、消火栓レバーおよび消火栓弁に接続される消火栓弁開閉用ワイヤーにより、消火栓弁が開き、消火用水の供給が開始される。
【００１８】
また、上述したように、消火栓１０では、定期または非定期に水圧や水量が規定を満たしている否かの点検作業が実施される。この際、予め備えられているホース７２０を筐体から引き出し、ノズル７３０の先端部に水圧や水量に係る測定機器を装着した後に放水を行い、水圧や水量の測定を行うことも可能である。
【００１９】
しかし、上記のような点検手法では、点検作業後にホース７２０の洗浄や水抜き、筐体内への再収納を行う必要がある。上記の作業には、通常２名以上の作業員の確保が求められ、またトンネル内に複数設置される消火栓１０のすべてに上記点検作業を実施するには多大な負荷が掛かる。
【００２０】
このため、近年においては、配管部７１０において、ホース７２０側とは分岐させた点検作業用の点検管を設け、火活動時と点検作業時とで流路の切り替えを行うことで、点検作業を効率化する方式も採用されている。
【００２１】
しかし、ここで特許文献１〜特許文献３に記載されるようなコネクタを用いる場合、弁箱の形状に合わせてコネクタを精密に作製する必要があり、形状に不具合がある場合には、流路の切り替え精度が著しく低下することが想定される。
【００２２】
ここで、流路の切り替えを上下移動する弁を用いて実現する方式も想定される。しかし、上記の方式の場合、多くの弁箱では、流入口とホース７２０に接続される放水口が略直線状に位置しているのに対し、その間に形成され弁による開閉を行うための開閉口は直角程度の角度を以って配置されているため、流入口から放水口へ至る通水は蛇行する流路となり、損失水頭が大きい、すなわち流水がし辛いという問題点がある。
【００２３】
また、上下移動式の弁を用いる方式の場合、点検作業後におけるホース７２０側への流路の復帰を目視確認する際、点検口を深く覗き込む必要があるうえ、明るさが乏しいトンネル内において弁の復帰を直観的に把握することが困難である。なお、強制的に弁が復帰位置に戻るまで点検装置が外れない構成を採用することで、目視代替することも可能であるが、この場合、弁側と点検装置側の両者に上記を実現する機構を追加する必要がある。
【００２４】
本発明の技術思想は、上記の点に着目して発想されたものであり、点検作業時における流路の切り替えを高精度かつ効果的に実現するものである。以下、上記を実現するための消火栓１０の構造について詳細に説明する。
【００２５】
＜＜１．２．切替弁２０の構造＞＞
図３は、本実施形態に係る切替弁２０の構造について説明するための図である。上述したように、本実施形態に係る消火栓１０は、消火用水の流路を流入口から消火活動時に使用する第１の流路または点検装置３０に接続する第２の流路へ切り替える切替弁２０を備える。
【００２６】
また、本実施形態に係る切替弁２０は、例えば、弁蓋ユニット２００と弁箱２６０から構成される。本実施形態に係る弁蓋ユニット２００は、例えば、第１の流路に通水する第１の位置と第２の流路に通水する第２の位置との間を回転して移動する弁蓋２１０、弁蓋２１０に接続され、弁蓋２１０より第２の流路の方向へ突出して配置されるプッシュバー２２０（弁移動部材、とも称する）、プッシュバー用スプリング２３０、弁蓋２１０を第１の位置に押圧する弁蓋用スプリング２４０（第１押圧部材、とも称する）、部材組付金具２５０から構成される。また、本実施形態に係る切替弁２０は、差込式結合金具４０を介して点検装置３０と接続される。
【００２７】
図４は、点検装置３０が接続されていない場合の切替弁２０の構造を示す図である。この際、本実施形態に係る弁蓋２１０は、流水口ＩＥから、消火活動時に使用する第１の流路Ｗ１に消火用水を通水する第１の位置に、弁蓋用スプリング２４０などの第１押圧部材により押圧されることで、固定される。
【００２８】
本実施形態に係る弁蓋用スプリング２４０は、弁蓋２１０および部材組付金具２５０に固定され、弁蓋２１０を点検装置３０側、すなわち第２の流路Ｗ２側に押し上げる役割を担う。なお、本実施形態に係る部材組付金具２５０は、弁蓋２１０やプッシュバー２２０などを弁箱２６０に組付けるための構成であってよい。
【００２９】
また、点検装置３０が接続されていない場合、すなわち本実施形態に係る弁蓋２１０が第１の位置にある場合、弁蓋２１０に接続されたプッシュバー２２０の上端は、差込式結合金具４０の内部において、差込式結合金具４０の上端と略一致するように弁箱２６０から突出して配置される。
【００３０】
次に、本実施形態に係る第２の流路Ｗ２への通水の切り替えについて詳細に説明する。図５〜図７は、本実施形態に係る第２の流路Ｗ２への通水の切り替え時における切替弁２０の構造を示す図である。
【００３１】
図５には、第２の流路Ｗ２への通水の切り替えに際し、点検装置３０の流路の中心に設けられるピン３４（第２押圧部材、とも称する）によりプッシュバー２２０の押圧が開始された状態の切替弁２０の構造が示されている。また、図６には、図５に示す状態から、ピン３４によるプッシュバー２２０の押圧がさらに進んだ状態の切替弁２０の構造が示されている。図示するように、本実施形態に係るピン３４の先端は、例えば、凹形状を有し、プッシュバー２２０上端の凹形状と合致するように形成される。
【００３２】
この際、プッシュバー２２０は、一側面に有する直立補正部材２２５により差込式結合金具４０の内面に接触し途中多少叶剥きながら、弁箱２６０の方向へ移動する。ここで、本実施形態に係る直立補正部材２２５は、点検装置３０のピン３４による押圧時に弁蓋２１０の移動方向を補正する役割を有する。
【００３３】
図５および図６を参照すると、直立補正部材２２５によりプッシュバー２２０が途中多少傾くことにより、プッシュバー用スプリング２３０に力が加わり、弁蓋２１０は、プッシュバー回転軸ＰＡおよび弁蓋用回転軸ＯＡを基点として第２の位置の方向に回転しながら移動する。
【００３４】
また、図７には、点検装置３０の接続が完了し、第２の流路Ｗ２への切り替えが行われた状態の切替弁２０の構造が示されている。本実施形態に係る切替弁２０では、点検装置３０を下方向に４０ｍｍ程度押し込んだ際、プッシュバー２２０と接続された弁蓋２１０が第２の位置に固定され、第１の流路Ｗ１から第２の流路Ｗ２への切り替えが完了する。なお、この際、点検装置３０は、内側に形成されたツメにより、差込式結合金具４０の外周に形成された凹部と結合することで、切替弁２０に固定される。
【００３５】
次に、本実施形態に係る第２の流路Ｗ２から第１の流路Ｗ１への切り替えについて説明する。図７に示すように、点検装置３０が切替弁２０に接続されている場合、弁蓋用スプリング２４０は、折り曲げられた状態となる。
【００３６】
ここで、点検装置３０が切替弁２０から外された場合、折り曲げられた弁蓋用スプリング２４０が解放され、元の形状に戻ろうとすることで、弁蓋２１０およびプッシュバー２２０が、図５に示すように、第１の位置に復帰する。
【００３７】
このように、本実施形態に係る切替弁２０によれば、スプリングを用いた簡易な構成により、弁蓋２１０を回転移動させ、第１の流路Ｗ１と第２の流路Ｗ２との切り替えを容易に実現することが可能である。
【００３８】
また、図５に示すように、弁蓋２１０が第１の位置へと復帰した際、プッシュバー２２０の上端は、差込式結合金具４０の内部において、差込式結合金具４０の上端と略一致するように形成されてよい。
【００３９】
上記の構成によれば、点検作業の完了後に、弁蓋２１０が第１の位置に復帰していること、すなわちホース７２０と接続する第１の流路Ｗ１への復帰が正しく行われていることを、内部を深く覗き込むことなく用意に目視で確認することが可能となる。また、上記の構成によれば、プッシュバー２２０を指などで触れることで、第１の流路Ｗ１への復帰を確認することができ、明るさが乏しいトンネル内部においても、確実に復帰確認を行うことが可能である。さらには、上記の構成によれば、プッシュバー２２０が弁箱２６０内に落下し、弁蓋２１０が第１の位置に復帰しなくなることを防止することができる。
【００４０】
また、プッシュバー２２０を第２の流路Ｗ２側へ突出させることにより、点検装置３０側のピン３４を過度に突出させることなくコンパクトにすることができ、ピン３４を奥深く弁箱２６０内に押し込まずとも、第２の流路Ｗ２への切り替えを容易に実施することが可能となる。
【００４１】
さらには、本実施形態に係る弁箱２６０は、図５に示すように、弁蓋２１０が第１の位置にある場合、消火用水が流入口ＩＥから第１の流路Ｗ１に略直線状に通水されるように形成されてよい。また、本実施形態に係る弁箱２６０は、流入口ＩＥから第１の流路Ｗ１の間に開閉口などの突起物を有しないように形成される。このような形状によれば、第１の流路へ通水する消火用水の蛇行を回避することができ、損失水頭を削減することで、流水がし易い環境を実現することが可能である。
【００４２】
また、本実施形態に係る弁蓋ユニット２００は、ユニット単位で弁箱２６０への着脱が可能なように形成されてよい。このような構成によれば、弁蓋ユニット２００を弁箱２６０から取り外すことで、弁蓋２１０の回転移動に係る軌道の確認や各部品の取り換えなどを容易に実行することが可能となる。
【００４３】
＜２．まとめ＞
以上説明したように、本発明の一実施形態に係る消火栓１０は、消火用水の流路を消化活動時に使用する第１の流路Ｗ１または点検装置３０に接続する第２の流路Ｗ２へ切り替える切替弁２０を有する。
【００４４】
また、本発明の一実施形態に係る切替弁２０は、第１の流路Ｗ１に通水する第１の位置と第２の流路に通水する第２の位置との間を回転して移動する弁蓋２１０と、弁蓋２１０を第１の位置に押圧する弁蓋用スプリング２４０と、弁蓋２１０を収納する弁箱２６０と、弁蓋２１０に接続され、弁蓋２１０より第２の流路Ｗ２の方向へ弁箱２６０から突出して配置されるプッシュバー２２０と、を有する。
【００４５】
さらには、本発明の一実施形態に係る切替弁２０は、点検装置３０が接続された場合、点検装置３０の流路の中心に設けられたピン３４がプッシュバー２２０を押圧することにより、弁蓋２１０を第１の位置に回転させて押圧するようにしたこと、を特徴の一つとする。
【００４６】
上記の構成によれば、点検作業時における流路の切り替えを高精度かつ効果的に行うが可能となる。
【００４７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【符号の説明】
【００４９】
１０      消火栓
２０      切替弁
２１０    弁蓋
２２０    プッシュバー
２２５    直立補正部材
２３０    プッシュバー用スプリング
２４０    弁蓋用スプリング
２６０    弁箱
３０      点検装置
３４      ピン
【図１】
2020081001.tif 000003
【図２】
2020081001.tif 000004
【図３】
2020081001.tif 000005
【図４】
2020081001.tif 000006
【図５】
2020081001.tif 000007
【図６】
2020081001.tif 000008
【図７】
2020081001.tif 000009